(57)【要約】      （修正有）【課題】クッションにおいて、正座で長時間座り続けても快適な座り心地と、インテリアと調和するデザイン性、を実現すること。【解決手段】略柱形状の第１クッション１と、略ドーナツ形状の第２クッション２からなり、上記第１クッションと第２クッションは、上下方向における高さが自然状態においては、ほぼ等しく、上記第２クッションの内側壁は前記第１クッションの外側壁１０２に当接させられ、上記第２クッションは相対的に第１クッションより柔らかい素材を用いる。【選択図】図２
2017202285.tif 000002
【特許請求の範囲】
【請求項１】
加圧によって変形し、自然状態で形状が復元するクッションセットであって、
上記クッションセットは、略柱形状の第１クッションと、略ドーナツ形状の第２クッションからなり、上記第１クッションと第２クッションは、上下方向における高さが自然状態においては、ほぼ等しく、
上記第２クッションの内側壁は前記第１クッションの外側壁に当接させられ、
上記第２クッションは相対的に第１クッションより柔らかい素材を用いたことを特徴とする、クッションセット。
【請求項２】
上記第２クッションの穴が、上下方向視で、中心から外方へ寄っている、請求項１に記載の、クッションセット。
【請求項３】
上記第２クッションの穴は、貫通穴である、請求項１または２に記載の、クッションセット。
【請求項４】
上記第２クッションの穴は、有底の窪みである、請求項１または２に記載の、クッションセット。
【請求項５】
上記第２クッションは、上下方向視で、上記穴から当該クッションの外側壁の外方へつながる切れ目を、1箇所有している、請求項１ないし４のいずれかに記載の、クッションセット。
【請求項６】
上記第２クッションは、上下方向視で、上記穴から当該クッションの外側壁の外方へつながる切れ目を、複数箇所有している、請求項１または２または４のいずれかに記載の、クッションセット。
【請求項７】
上記第１クッション、および、上記第２クッションは、各々、生地、皮革、合成樹脂製シート等のカバーで覆われている、請求項１ないし６のいずれかに記載の、クッションセット。
【発明の詳細な説明】
【技術分野】
【０００１】
本発明は、正座や胡坐で、姿勢よく長時間、楽に座れるための機能を備えた、クッションセットに関する。
【背景技術】
【０００２】
従来、正座で楽に座れるための機能を備えたものとして、正座用の座椅子やクッションが知られている（たとえば、特許文献１、2を参照）。
【０００３】
特許文献１に記載されたクッションは、クッション性の座部と下側に延在するクッション性の脚部、硬質性の支持体とを備えている。このような構成のクッションを臀部にあてがって正座姿勢をとれば、臀部位置が一定高さに保持されるため、脚の圧迫が軽減される。
【０００４】
しかしながら、特許文献１に記載されたクッションにおいては、脚の膝から脛、甲、つま先といった直接床に接地する部位には痛みを伴い、長時間座ることが困難であった。
【０００５】
特許文献２に記載されたクッションは、尻あて枕が座布団に固定されていることを特徴とする、膝折り座布団である。このような構成の尻あて枕を臀部にあてがって正座姿勢をとれば、臀部位置が一定高さに保持されるため、脚の圧迫が軽減される。
【０００６】
しかしながら、特許文献２に記載されたクッションにおいては、脚の膝から脛、甲、つま先といった部位が座布団に載るものの、長時間快適に座り続けるには、より一層脚への圧迫を分散させるクッション性とフィット感が必要とされていた。また、モダンなリビングにおいては、デザイン面の問題からインテリアとの調和が難しいという課題があった。
【先行技術文献】
【特許文献】
【０００７】
【特許文献１】特許4559597号公報
【特許文献２】特開2012-249688公報
【発明の概要】
【発明が解決しようとする課題】
【０００８】
本発明は、このような事情のもとで考え出されたものであって、正座で長時間楽に座るためのクッションにおいて、上記した不都合を解消することを目的とする。
【課題を解決するための手段】
【０００９】
上記の課題を解決するため、本発明では、次の技術的手段を講じている。
【００１０】
本発明によって提供される着座用クッションセットは、加圧によって変形し、自然状態で形状が復元するクッションセットであって、上記クッションセットは、略柱形状の第１クッションと、略ドーナツ形状の第２クッションからなり、上記第１クッションと第２クッションは、上下方向における高さが自然状態においては、ほぼ等しく、上記第２クッションの内側壁は前記第１クッションの外側壁に当接させられ、上記第２クッションは相対的に第１クッションより柔らかい素材を用いたこと、を特徴とする。
【００１１】
好ましい実施の形態においては、上記第２クッションの穴は、上下方向視で、中心から外方へ寄っている
【００１２】
好ましい実施の形態においては、上記第２クッションの穴は、貫通穴である。
【００１３】
好ましい実施の形態においては、上記第２クッションの穴は、有底の窪みである
【００１４】
好ましい実施の形態においては、上記第２クッションは、上下方向視で、上記穴から当該クッションの外側壁の外方へつながる切れ目を、1箇所有している
【００１５】
好ましい実施の形態においては、上記第２クッションは、上下方向視で、上記穴から当該クッションの外側壁の外方へつながる切れ目を、複数箇所有している。
【００１６】
好ましい実施の形態においては、上記第１クッション、および、上記第２クッションは、各々、生地、皮革、合成樹脂製シート等のカバーで覆われている
【００１７】
本発明のその他の特徴および利点は、添付図面を参照して以下に行う詳細な説明によって、より明らかとなろう。
【図面の簡単な説明】
【００１８】
【図１】本発明に係るクッションセットの一例を示し、自然状態を示す斜視図である。
【図２】図１に示すクッションの、加圧変形した状態を示す斜視図である。
【図３】図１、図２に示すクッションの側面図であって、自然状態と加圧変形した状態を対比して示している。
【図４】図１に示すクッションセットの、第１クッション側面図、第２クッション断面図である。
【図５】図１に示すクッションセットの、使用状態を示す参考図である。
【図６】本発明に係るクッションセットの、別の例を示すもので、第２クッションが切れ目を有している、自然状態の斜視図である。
【図７】図６に示すクッションセットの、加圧変形した状態を示す斜視図である。
【図８】第２クッションの穴が有底窪みの例を示す断面図である。
【図９】第２クッションが有底窪みと複数の切れ目を有しているクッションセットの例を示す斜視図である。
【符号の説明】
【００１９】
１  第1クッション
２  第２クッション
１０２  第1クッション外側壁
２０２  第2クッション内側壁
２０４  穴
２０５  有底窪みの底
２０６  切れ目
【発明を実施するための形態】
【００２０】
以下、本発明の好ましい実施の形態について、図面を参照して具体的に説明する。
図1〜図５は、本発明に係るクッションセットの一例を示している。
図１〜図３に表れているように、本実施形態のクッションセットＡ１は、臀部をのせて腰かける略柱形状の第１クッション１と、フットレストの役目になる略ドーナツ形状の第２クッション２とを備えて構成されている。
【００２１】
略ドーナツ形状の穴２０４を構成する、第２クッション２の内側壁２０２は、第１クッ
ションの外側壁１０２に当接させられている。
【００２２】
図１に表れているように、第１クッション１、第２クッション２の上下方向における高さは、加圧される前の状態では、ほぼ等しくなっている。その高さは、成人用の場合、10センチメートル〜20センチメートル程度が好ましい。
なお、双方の上下方向における自然状態の高さは、ほぼ等しければ良く、数センチ程度の差異があっても良い。その場合、図1、図３に表れているように第１クッション１が若干高めになっても良く、逆に第２クッション２の方が若干高めになっても良い。
【００２３】
図５に表れているように、クッションセットＡ１が着座され、加圧状態になると、第１クッション１は使用者の臀部、第２クッション２は脚の膝から脛、甲、つま先が乗って変形させられた状態となる。
この時、第２クッション２は、相対的に第１クッション１よりも柔らかく、その程度は、加圧状態において、第２クッション２における脚の膝から脛、甲、つま先が直接乗って変形している部位の上下方向における高さは、第１クッション１における臀部が直接乗って変形している部位の上下方向における高さの２分の１以下となることが好ましい。
【００２４】
図３によって説明すれば、左図は自然状態、右図は加圧状態のクッションの形状の一例を示し、加圧状態においては、第1クッション１が若干変形（b）しているのに対し、第２クッション２は大きく変形している（a）。また、その結果、第１クッション１と第２クッション２の自然状態高さ（h）は、ほぼ等しかったのに対して、第２クッション２における脚の膝から脛、甲、つま先が直接乗って変形している部位の高さ（h２）は第1クッション１の臀部が直接乗って変形している部位の高さ（h１）の２分の１以下になっている。
【００２５】
図１〜図５に表れているように、本実施形態のクッションセットＡ１は、略ドーナツ形状の第２クッション２の穴２０４が、上下方向視で、中心から外方に寄っている。
図５に示した使用状態のように、第１クッション１が着座した身体の向きに対して後方に寄って位置する向きでクッションセットを使用すれば、脚の膝から脛、甲、つま先が第２クッション２からはみ出すことなく収まりやすくなる。
【００２６】
図４に表れているように、略ドーナツ形状の第２クッション２の穴２０４は、貫通穴である。貫通穴であっても、第２クッションの内側壁２０２が第１クッションの外側壁１０２に当接させられているため、使用状態において、第1クッション１は安定して所定位置に保持される。
【００２７】
なお、図８に表れているように、略ドーナツ形状の第２クッション２の穴２０４は、底２０５を有する窪みであってもよい。このような場合も、第２クッション２の内側壁２０２が第１クッションの外側壁１０２に当接させられているため、使用状態において、第1クッション１は安定して所定位置に保持される。
【００２８】
底２０５は、キルティング生地等を用いて、少しクッション性を持たせても良い。
【００２９】
第１クッション１は、加圧によって変形し、自然状態で形状が復元する、第２クッション２よりも相対的に加圧変形が小さい、臀部を安定させる素材からなる。たとえば、伸縮性のあるジャージ生地を略柱形の袋状に縫製したカバーに、ポリエチレン製パイプビーズをクッション材として注入し構成される。
【００３０】
第２クッション２は、加圧で変形し、自然状態で形状が復元する、第１クッション１よりも相対的に加圧変形が大きい、脚への負担を軽減させる素材からなる。たとえば、伸縮
性のあるジャージ生地を略ドーナツ形の袋状に縫製したカバーに、ポリエステル繊維をクッション材として注入し構成される。
【００３１】
次に、クッションセットＡ１の作用について説明する。
【００３２】
図５を参照して説明したように、着座されると、第１クッション１は使用者の臀部、第２クッション２は脚の膝から脛、甲、つま先が乗って加圧された状態となる。この時、第２クッション２は第１クッション１よりも相対的に柔らかく、その程度は、加圧状態において、第２クッション２における脚の膝から脛、甲、つま先が直接乗って変形している部位の上下方向における高さは、第１クッション１における臀部が直接乗って変形している部位の上下方向における高さの２分の１以下となる。
【００３３】
このような構成にすれば、正座、あるいは、通称ぺたんこ座りと呼ばれる正座の状態で両足を外にしてお尻を下にぺたんと付ける座り方、をした場合、相対的に沈み込みが少ない第1クッション１が、臀部を適度な高さに保ち、本来は脚にかかる体重を支え、背筋の伸びた美しい座り姿勢を生み出す。
【００３４】
加えて、第１クッション１より相対的に柔らかい第２クッション２が、脚への圧迫をさらに分散させ、長時間、快適に着座し続けることが可能になる。
【００３５】
また、加圧がかからない自然状態においては、第１クッション１は、第2クッション２から大きく突き出すことがない構成であって、一体的な美しいフォルムを持たせることが可能であり、居室で用いられ、インテリアとしてのデザイン性が求められるクッションの条件を満たすことができる。
【００３６】
図６、図７は、本発明に係るクッションセットの他の例を示している。
【００３７】
図６、図７に示されたクッションセットＡ２は、第1クッション１と第2クッション２を備え、基本的構成は上記実施形態のクッションセットＡ１と同じである。
一方、クッションセットＡ２においては、略ドーナツ形状の第２クッション２は、上下方向視で、穴から外側壁外方へつながる切れ目２０６を有している。
【００３８】
上記のクッションセットＡ１に比べると、第２クッション２の内側壁と第１クッション１の外側壁が当接させられる面積が、切れ目分だけ減じられるものの、使用状態において、第1クッション１は安定して所定位置に保持され、クッションセットＡ１と同様の作用をもたらすことができる。
【００３９】
クッションセットＡ２においても、図８に表れているように、略ドーナツ形状の第２クッション２の穴２０４は、底２０５を有する窪みでであってもよい。このような場合、図９に表れているように、第２クッション２の切れ目２０６は複数にすることも可能である。
【００４０】
以上、本発明の具体的な実施形態を説明したが、本発明はこれに限定されるものではなく、発明の思想から逸脱しない範囲内で種々な変更が可能である。本発明に係るクッションセットの具体的な形状や材質なども、上記実施形態に限定されるものではない。
【００４１】
上記実施形態では、第１クッション１は伸縮性のあるジャージ生地を略柱形の袋状に縫製したカバーに、ポリエチレン製パイプビーズをクッション材として注入し構成し、第２クッション２は伸縮性のあるジャージ生地を略ドーナツ形の袋状に縫製したカバーに、ポリエステル繊維をクッション材として注入し構成すること、を例に挙げて説明したが、こ
れに限定されない。
【００４２】
第１クッション１、第２クッション２、各々のカバーは、生地の種類を問わず、また、皮革、合成樹脂シートを採用しても良い。
第１クッション１、第２クッション２のクッション材は、綿、羊毛などの繊維、ポリプロピレン製パイプ、ゴムなどの各種ビーズ、そば殻、発泡ゴム、発泡樹脂片などを注入してもよく、発泡ポリエチレン、発泡ウレタンなどのシートや、あるいは、ポリエチレン、ポリオレフィン、ポリエステル系エラストマーなどの網状構造体を採用することもできる。
【００４３】
第１クッション１、第２クッション２共に、クッション材は上記の素材等を複合的に組み合わせても良い。例えば、第１クッション１の上層部のみ臀部にフィットする第２クッション２と同等のやわらかい素材を用いても良い。
要は、トータル的に、第２クッション２が、相対的に第１クッション１よりも柔らかくになるように、適材を選択すればよい。
なお、その程度は、加圧状態において、第２クッション２における脚の膝から脛、甲、つま先が直接乗って変形している部位の上下方向における高さは、第１クッション１における臀部が直接乗って変形している部位の上下方向における高さの２分の１以下となることが好ましい。
【００４４】
略ドーナツ形の第２クッション２は、各図に示したような円形リング状に限らず、方形リング状であっても、不定形リング状であっても良く、略柱形の第１クッション１は、各図に示したような略円柱形状に限らず、略角柱形状であっても、上下方向視で自転車のサドルのように先端が細く後部が幅広い形状を備えた柱形状であっても良い。要は、略ドーナツ形状の第２クッション２の内側壁２０２が、第１クッションの外側壁１０２に当接可能であれば良い。
【００４５】
また、このような構成のクッションセットであれば、用途は着座用に限定されない。例えば、枕用とした場合、第１クッション１が少しの沈み込みを伴って使用者の頭部を支え、第２クッション２が十分な沈み込みを伴って首から肩にかけてやさしく沿い、快適な使い心地を得ることが出来る。
【図１】
2017202285.tif 000003
【図２】
2017202285.tif 000004
【図３】
2017202285.tif 000005
【図４】
2017202285.tif 000006
【図５】
2017202285.tif 000007
【図６】
2017202285.tif 000008
【図７】
2017202285.tif 000009
【図８】
2017202285.tif 000010
【図９】
2017202285.tif 000011